(57)【要約】【課題】  車載用液晶表示装置の使用に適した、視野角±３５度にわたって輝度の高いバックライトユニット及び該バックライトユニットに用いるレンズシートを提供する。【解決手段】  少なくとも導光体、２種類のプリズム列を有するレンズシートＡ、Ｂ及び光源を備えた車載用液晶表示装置に使用するバックライトユニットにおいて、導光体の上にレンズシートＡがそのプリズム列が導光体と接する面に配されかつそのプリズム列が光源を配した導光体の長辺端面と直交するように配置され、レンズシートＡの上にレンズシートＢがそのプリズム列がレンズシートＡと接する面とは反対側の面にレンズシートＢのプリズム列がレンズシートＡのプリズム列と直交するように配置され、かつ、レンズシートＡのプリズムの頂角が１５５度〜１７２度、好ましくは１６５度であり、レンズシートＢのプリズムの頂角が８０度〜１００度、好ましくは９０度であるバックライトユニットである。【選択図】図２
2005044642.tif 000002
【特許請求の範囲】
【請求項１】
少なくとも導光体、２種類のプリズム列を有するレンズシートＡ、Ｂ及び光源を備えた車載用液晶表示装置に使用するバックライトユニットにおいて、導光体の上にレンズシートＡがそのプリズム列が導光体と接する面に配されかつそのプリズム列が光源を配した導光体の長辺端面と直交するように配置され、レンズシートＡの上にレンズシートＢがそのプリズム列がレンズシートＡと接する面とは反対側の面にレンズシートＢのプリズム列がレンズシートＡのプリズム列と直交するように配置され、レンズシートＡのプリズムの頂角が１５５度〜１７２度であり、レンズシートＢのプリズムの頂角が８０度〜１００度であることを特徴とする、車載用液晶表示装置に使用するバックライトユニット。
【請求項２】
前記レンズシートＡのプリズムの頂角が１６５度であることを特徴とする請求項１に記載の車載用液晶表示装置に使用するバックライトユニット。
【請求項３】
前記レンズシートＡのプリズムの頂角が１６５度であり、前記レンズシートＢのプリズムの頂角が９０度であることを特徴とする請求項１に記載の車載用の液晶表示装置に使用するバックライトユニット。
【請求項４】
請求項１に記載の車載用液晶表示装置に使用するバックライトユニットに用いる、プリズムの頂角が１５５〜１７２度であるプリズム列を有するレンズシート。
【請求項５】
請求項２又は請求項３に記載の車載用液晶表示装置に使用するバックライトユニットに用いる、プリズムの頂角が１６５度であるプリズム列を有するレンズシート。
【発明の詳細な説明】
【技術分野】
【０００１】
本発明は、車載用液晶表示装置に使用されるバックライトユニット及びそのバックライトユニットに用いられるレンズシートに関するものである。更に詳しくは、車載用液晶表示装置に使用される、自動車の運転席及び助手席から見て、最適の輝度及び視野角をもったバックライトユニット及びそのバックライトユニットに用いるレンズシートに関するものである。
【背景技術】
【０００２】
液晶表示装置は、テレビジョン、パソコン、カーナビ、携帯電話、その他電子機器に広く使用されている。また、情報処理量の増大化、ニーズの多様化、マルチメディア対応等に伴って、液晶表示装置の大画面化、高精細化が盛んに進められている。
【０００３】
このような液晶表示装置は、基本的にバックライト部と液晶表示素子部とから構成されている。バックライト部としては、液晶表示素子部の直下に光源を配置した直下方式のものや導光体の側端面に対向するように光源を配置したエッジライト方式のものがあり、液晶表示装置のコンパクト化の観点からエッジライト方式が多用されている。このエッジライト方式では、板状の導光体の側端面に対向するように光源を配置して、導光体の表面全体を発光させている。
【０００４】
液晶表示装置は、見る角度によりその輝度が変化するという性質がある。これに対して、例えば、特開２０００−３５３４１３号公報、特開２００３−１３９９２２号公報等に、広い視野角に亘って高い輝度を維持する方法が提案されている。一方、用途によっては液晶表示の視野角はそれほど広い範囲でなくてもよいものがある。例えば、特開平１１−８４１１１号公報、特開平８−２７１７０５号公報には、輝度が高いが視野角の小さい液晶表示装置用の面光源素子が提案されている。また、特開２００１−１９５９１３号公報には、カーナビ用液晶表示装置のバックライトが提案されている。
【０００５】
【特許文献１】特開２０００−３５３４１３号公報
【特許文献２】特開２００３−１３９９２２号公報
【特許文献３】特開平１１−８４１１１号公報
【特許文献５】特開平８−２７１７０５号公報
【特許文献５】特開２００１−１９５９１３号公報
【発明の開示】
【発明が解決しようとする課題】
【０００６】
本発明は、特に、車載用液晶表示装置に使用するバックライトユニットであって、自動車の運転席及び助手席から見た場合の輝度が高く、かつ、輝度が均一になるような液晶表示装置に使用するバックライトユニット及びそのバックライトユニットに用いるレンズシートを提供しようとするものである。車載用液晶表示装置において、液晶表示装置からの出射光の輝度は、その表示面の法線からの角度で表した場合、０度から左右３５度の範囲で高い輝度をもたせるのが最適である。本発明は、液晶表示装置の法線からの角度で表した場合、０度から左右３５度にわたって、輝度が高く、かつ、ほぼ均一な輝度を有する、バックライトユニット及びそのバックライトユニットに用いるレンズシートを提供するものである。車載用液晶表示装置は、所謂カーナビとして多用されているものであり、同時に、カーナビとして使用しない場合には、テレビ、ＤＶＤ、インターネットの閲覧用等の映像表示装置としても利用できるものである。
【課題を解決するための手段】
【０００７】
本発明の要旨は、少なくとも導光体、２種類のプリズム列を有するレンズシートＡ、Ｂ及び光源を備えた車載用液晶表示装置に使用するバックライトユニットにおいて、導光体の上にレンズシートＡがそのプリズム列が導光体と接する面に配されかつそのプリズム列が光源を配した導光体の長辺端面と直交するように配置され、レンズシートＡの上にレンズシートＢがそのプリズム列がレンズシートＡと接する面とは反対側の面にレンズシートＢのプリズム列がレンズシートＡのプリズム列と直交するように配置され、かつ、レンズシートＡのプリズムの頂角が１５５度〜１７２度であり、レンズシートＢのプリズムの頂角が８０度〜１００度であることを特徴とする、車載用液晶表示装置に使用するバックライトユニットである。また、前記レンズシートＡのプリズムの頂角は、特に１６５度であることが好ましく、レンズシートＢのプリズムの頂角は９０度であることが好ましい。
【０００８】
更に、少なくとも導光体、２種類のプリズム列を有するレンズシートＡ、Ｂ及び光源を備えた車載用液晶表示装置に使用するバックライトユニットにおいて、導光体の上にレンズシートＡがそのプリズム列が導光体と接する面に配されかつそのプリズム列が光源を配した導光体の長辺端面と直交するように配置され、レンズシートＡの上にプリズムの頂角が８０度〜１００度、好ましくは９０度のレンズシートＢがそのプリズム列がレンズシートＡと接する面とは反対側の面にレンズシートＢのプリズム列がレンズシートＡのプリズム列と直交するように配置された車載用液晶表示装置に使用するバックライトユニットに用いる、プリズムの頂角が１５５度〜１７２度、特に好ましくは１６５度のレンズシートである。
【発明の効果】
【０００９】
導光体、２種類のプリズム列を有するレンズシートＡ、Ｂ及び光源を備えた車載用液晶表示装置に使用するバックライトユニットにおいて、導光体の上にレンズシートＡがそのプリズム列が導光体と接する面に配されかつそのプリズム列が光源を配した導光体の長辺端面と直交するように配置され、レンズシートＡの上にレンズシートＢがそのプリズム列がレンズシートＡと接する面とは反対側の面にレンズシートＢのプリズム列がレンズシートＡのプリズム列と直交するように配置され、かつ、レンズシートＡのプリズムの頂角を１５５度〜１７２度、特に好ましくは１６５度にすること、レンズシートＢのプリズムの頂角を８０〜１００度、好ましくは９０度にすることにより、車載用液晶表示装置に最適な液晶表示装置を得ることができる。即ち、本発明のバックライトユニットを使用することにより、視野角が液晶表示装置の法線からの角度で表して、０度から左右３５度にわたって、高い輝度を得ることができる。自動車の運転席及び助手席から、車載用液晶表示装置の指示を容易に見ることができ、確認することができる。この液晶表示装置は、カーナビとして使用することができ、また、カーナビとして使用しない場合は、テレビ、ＤＶＤ、インターネットの閲覧用等の映像表示装置としても利用することがもきる。
【発明を実施するための最良の形態】
【００１０】
通常液晶表示装置に使用するバックライトユニットは、例えば、図３に示したように、導光体２２、プリズム２６の列をもつレンズシート２１、光源２３、２４及び反射シート２５から構成されている。必要に応じて、レンズシート２１と導光体２２との間に拡散シートが配置される。光源２３、２４は、線状の蛍光管が用いられ、導光体２２の側端面に配置されている。光源は、導光体２２の長辺側の側端面に配置されるものが多い。光源２３、２４は、図示していないが、リフレクターを備えている。リフレクターはその内面は放物線状の形状をなし、その焦点位置に光源が配置される。光源はここでは、管状の蛍光管を示したが、コ字状の蛍光管やＬ字状の蛍光管を２本組み合わせて使用されることもある。レンズシート２１はその一方の面に光源２３、２４に直交してプリズム２６を複数並べたプリズム列を配列している。プリズム２６の頂角は８０〜１００度のものが多用されている。このようなバックライトユニットの輝度を図８に示した。即ち、図８は、導光体２２、プリズム２６の列をもつレンズシート２１、光源２３、２４及び反射シート２５からなるバックライトユニットについて輝度を測定したものである。図８において、Ｋはプリズム２６の頂角が９０度であるもの、Ｌはレンズシート２１を除いたものである。図８の記号Ａの輝度から分かるように、頂角９０度のプリズムをもつレンズシート２１を設けることにより、輝度は高くなるが、視野角が狭くなっている。ここで、角度は、バックライトユニットの面上に立てた法線からの角度で示している。また、プリズムは二等辺三角形状をしたもので、等辺の挟角がプリズムの頂角である。尚、以下の他の実施形態においても、輝度測定時の角度の採り方、プリズムの形状は同様である。
【００１１】
車載用液晶表示装置に使用するバックライトユニットとしては、図８のＫよりは更に広い視野角が必要である。本発明者らは、視野角を拡げるために、バックライトユニットの構成として、図２に示したものを発明した。即ち、バックライトユニットは、導光体１２、２枚のレンズシート１１、１５、反射シート１７及び光源１３、１４から構成されている。光源１３、１４は、線状の蛍光管が用いられ、導光体１２の側端面に配置されている。光源として、直線上の光源の他に、コ字状の光源やＬ字状の光源を用いることもできる。光源１３、１４は、図示していないが、リフレクターを備えている。レンズシート１５は導光体１２に接する面にプリズム１６’の列が光源１３、１４と直交するように配列されている。そして、その上方にレンズシート１１が、プリズム列を上方に向けて、配置されている。レンズシート１１もプリズム列を有している。レンズシート１１のプリズム列１６は、レンズシート１５のプリズム列１６’と直交して、レンズシート１５と接する面とは反対側の面に（上方に向かって）配列されている。レンズシート１１のプリズム頂角は８０度〜１００度であり、特に、９０度が好ましい。レンズシート１５のプリズム頂角は１５５度〜１７２度であり、特に、１６５度が好ましい。この構成のバックライトユニットにおいて、必要に応じて拡散シートを適宜、適当な場所に使用することもできる。拡散シートを使用する場所は、導光体１２とレンズシート１５の間、レンズシート１５とレンズシート１１との間又は上方に配置されたレンズシート１１の上等の場所である。 また、光源は導光体１２の長辺側の端面に配置される。この意味で、レンズシート１５は導光体１２に接する面にプリズム１６’の列が光源が配置される導光体の長辺側の端面と直交するように配列される。尚、プリズムは、先に述べたように、二等辺三角形状をしたものである。
【００１２】
図２の構成をもつバックライトユニットにおいて、レンズシート１５のプリズム１６’の頂角が１６５度のものの輝度を図４に記号Ａで示した。図４の記号Ａが示すように、バックライトユニットの表面の法線からの角度で表して、０度からほぼ左右３５度の範囲の角度内で、輝度が高いことがわかる。この視野角であれば、自動車の運転席、助手席は勿論のこと、後部座席からも車載用液晶表示装置の表示を高い輝度で見ることができる。尚、図４に示した輝度は、図２の構成を持つバックライトユニットにおいて、レンズシート１１のプリズムの頂角を９０度としたものである。
【００１３】
図２に示した構成をもつバックライトユニットにおいて、特に、レンズシート１５のプリズム１６’の頂角の大きさが重要である。プリズム１６’の頂角は、先に述べたように、１５５度〜１７２度とするのがよい。特に、１６５度にするのが好ましい。プリズムの頂角が１７２度以上になれば、実質的にレンズシートを設けないものとなり、輝度は図４における記号Ｂ（レンズシート１１及び１５を除いたもの）で示したように、視野角は大きくなるが、輝度は小さいものとなる。
【００１４】
また、プリズム１６’の頂角が１５５度よりも小さいと、その角度により影響は異なってくるが、輝度が角度により大きく変化して、実用に適さないものになる。図５に、プリズム１６’の頂角が６５度、９０度の場合を示した。尚、この場合、レンズシート１１のプリズムの頂角は９０度である。レンズシート１５のプリズム頂角が６５度の場合の輝度は、記号Ｄで示しているように、輝度が不均一で、バックライトユニット表面の法線からの角度で、左右２０度付近のところで輝度が極端に小さくなっていることが分かる。プリズムの頂角が９０度の場合は、輝度は記号Ｅで示しているが、表面の法線からの角度で左右３０〜４０度の範囲で輝度が高くなっているものの、角度０度、即ち、バックライトユニットの真上の輝度が極端に小さく、かつ、相対的に輝度が頂角１６５度のもの（図５では、記号Ｃで示している）よりも相対的に小さくなっていることが分かる。更に、プリズム１６’の頂角が１２０度のものの輝度を図９の記号Ｍで示した。図から分かるように、角度０度においては高い輝度を示すが、それ以外の角度では輝度が低くなっている。図９のレンズシート１１のプリズム１６の頂角は同様に９０度である。記号Ｎは、図４における記号Ｂと同様、レンズシート１１及び１５を除いたものである。
【００１５】
導光体１２、頂角８０度〜１００度、特に、９０度のプリズム列を有するレンズシート１１、頂角１６０〜１７２度、特に、１６５度のプリズムを有するレンズシート１５備え、導光体１２の上にレンズシート１５がそのプリズム列が導光体と接する面に配されかつ光源（又は光源を配した導光体の長辺側端面）と直交して配置され、そのレンズシート１５の上にレンズシート１１がそのプリズム列がレンズシート１５と接する面とは反対側の面にレンズシートＢのプリズム列がレンズシートＡのプリズム列と直交するように配置された構成を採ることにより、視野角が０度から左右３５度に至る広い視野角において高い輝度を有するバックライトユニットを得ることができる。
【００１６】
図２の構成をもつバックライトユニットにおいて、レンズシート１５のみでは、車載用液晶表示装置に使用するバックライトユニットは得ることはできない。レンズシート１５のみの構成になるバックライトユニットは、具体的には、図１に示したような構成をもつバックライトユニットである。図１の構成をもつバックライトユニットの輝度について、以下説明する。この場合、バックライトユニットの構成は、図１に示すように、導光体２、レンズシート１、光源３、４及び反射シート５から構成されている。光源３、４は、同様に、線状の蛍光管が用いられ、導光体１の側端面（長辺側端面）に配置されている。光源３、４は、同様に、図示していないが、リフレクターを備えている。レンズシート１はその一方の面に光源３、４に直交してプリズム列を配列している。プリズム列は、レンズシート１が導光体２と接する面に設けられている。プリズムの頂角１６５度、６５度及びレンズシートを有しないものについて輝度を測定した。図７にその測定した輝度を示した。頂角１６５度の場合は、記号Ｈで示しているが、視野角は広くなるものの、輝度が低くなっていることが分かる。頂角１６５度のレンズシートを使用しても、１枚だけでは十分な輝度が得られないことが分かる。レンズシート１のないものを記号Ｊで示しているが、ＨはＪよりは視野角が狭くなっている。頂角が６５度の場合は、記号Ｉで示しているが、バックライトユニットの法線方向から左右１０度〜２０度付近で、輝度が極端に低くなっていることが分かる。尚、図６にも図１の構成をもつバックライトユニットの輝度を示している。記号Ｆは、頂角１６５度のレンズシートを使用したもので、図７の記号Ｈと同一である。また、記号Ｇは、レンズシート１のないもので、図７の記号Ｊと同一である。
【００１７】
以上述べてきたように、図２の構成を持つバックライトユニット、即ち、少なくとも、導光体、２種類のプリズム列を有するレンズシートＡ、Ｂ及び光源を備えた車載用液晶表示装置に使用するバックライトユニットにおいて、導光体の上にレンズシートＡがプリズム列が導光体と接する面に配置されかつそのプリズム列が光源（又は光源を配した導光体の長辺側端面）と直交するように配置され、レンズシートＡの上にレンズシートＢがそのプリズム列がレンズシートＡと接する面とは反対側の面にレンズシートＢのプリズム列がレンズシートＡのプリズム列と直交するように配置され、かつ、レンズシートＡのプリズムの頂角を１５５度〜１７２度、特に好ましくは１６５度にすること、レンズシートＢのプリズムの頂角を８０度〜１００度、特に好ましくは９０度にすることにより、左右０度から３５度にわたって、高い輝度を得ることができる。
【００１８】
本発明において、レンズシートは、光透過率の高い合成樹脂から構成することができる。このような合成樹脂としては、例えば、メタクリル樹脂、アクリル系樹脂、ポリカーボネート系樹脂、ポリエステル系樹脂、塩化ビニル系樹脂等が挙げられる。中でも、光透過率の高さ、耐熱性、力学的特性、成形加工性等に優れている点からメタクリル樹脂が特に好ましい。このようなメタクリル樹脂としては、メタクリル酸メチルを８０重量％含むものが好ましい。
【００１９】
また、レンズシートのプリズム等の表面構造を形成するに際して、透明合成樹脂板を所望の表面構造を有する型部材を用いて熱プレスすることで形成してもよいし、押出成形や射出成形等によって同時に形状付与してもよいし、熱あるいは光硬化性樹脂等を用いて形成することもできる。また、ポリエステル系樹脂、アクリル系樹脂、ポリカーボネート系樹脂、塩化ビニル系樹脂、ポリメタクリルイミド系樹脂等からなる透明フィルムあるいはシート等の透明基材上に、活性エネルギー線硬化型樹脂によってプリズム等の表面構造を形成してもよいし、このようなシートを接着、融着等の方法によって別個の透明基材上に接合一体化させてもよい。使用される活性エネルギー線硬化型樹脂としては、多官能（メタ）アクリル化合物、ビニル化合物、（メタ）アクリル酸エステル類、アリル化合物、（メタ）アクリル酸等を組み合わせて使用することができる。
【００２０】
使用される導光体としては、板状、くさび状、船型状等の種々の形状のものが使用でき、メタクリル樹脂、アクリル系樹脂、ポリカーボネート系樹脂、ポリエステル系樹脂、塩化ビニル系樹脂等光線透過率の高い合成樹脂から構成される。導光体は、一方の面が鏡面で、他方の表面が粗面になったものを使用する。均一な面光源となるように、導光体の光源の近いところから遠いところにいくに従って、光源に近いところは凹凸が粗な面とし、遠いところは凹凸が密となるようにして、上方に均一に光が出射されるようにする。凹凸に粗密をつけるために、具体的には、凹凸をつけた金型を使用して射出成型により導光体を成形し、又はあらかじめ表面がフラットな導光体を射出成型またはキャスト方式で成形し、スクリーン印刷にて突起をつけるよう専用インクを印刷する等の方法が知られている。
【００２１】
反射フイルムは、ポリエステル系樹脂若しくはポリオレフィン系樹脂からなるフイルム又は白色フイルムを使用する。白色フイルムは、フイルム若しくはシート状に成形する前に、例えば、白色となるように、酸化チタン、硫酸バリウム、炭酸カルシウム、水酸化アルミニウム、炭酸マグネシウムや酸化アルミニウムなどの顔料をプラスチック樹脂に添加してフイルム、シートに成形したものである。樹脂に炭酸カルシウムや酸化チタン等の無機充填剤を含有させフイルムを成形し、これを延伸し多数のミクロボイドを形成させたものを使用することもできる。
（バックライトユニットの調製）
【００２２】
導光体は、一方の面が鏡面で、他方の表面が粗面になったものを使用した。即ち、導光体の光源の近いところから遠いところにいくに従って、光源に近いところは凹凸が粗となり、遠いところは密となるように、凹凸をつけた金型を使用して射出成型することにより得た。レンズシートは、ポリエステルフイルム上に、アクリル系紫外線硬化型樹脂によって所定のプリズム頂角をもつ、ピッチ５０μｍのプリズム列が並列に連設したプリズム層を形成せしめることにより得た。この導光体及びレンズシートを使用して、バックライトユニットを組み立てた。
【００２３】
導光体は、長さ１５８．５ｍｍ、９４．５ｍｍの寸法をもつ矩形状のものである。この導光体の下に反射シートを配置した。導光体の長さ１５８．５ｍｍの長辺の両側端面に対向するように、径が２．６ｍｍで長さが１５２．５ｍｍの蛍光ランプを配置した。次いで、導光体の表面に、頂角１６５度のプリズムの列を配したレンズシートをプリズム列が蛍光灯に直交しプリズム列が導光体と接する面にくるよう配置した。更に、その上に、頂角９０度のプリズムの列を配したレンズシートをプリズム列が蛍光灯と平行するようにしかつプリズム列が上方にくるように配置した。レンズシートの寸法は、導光体のそれと同様であった。また、導光体の寸法は、縦１５８．５０ｍｍ、横９４．５０ｍｍ、厚み５．００ｍｍであり、レンズシートも同様の寸法で、厚みは上方に配置されたものは１５５μｍ、導光体の上に配置されたものは１３６μｍであり、反射フイルムの寸法も導光体と同様で、その厚みは１８８μｍであった。
【００２４】
上記バックライトユニットの上に液晶素子を配置し、所定の筐体に納めることにより、車載用液晶表示装置を得ることができる。
（バックライトユニットの輝度の測定）
【００２５】
長さ１５８．５ｍｍ、９４．５ｍｍの寸法をもつ矩形状のバックライトユニットを使用した。ランプは、その径が２．６ｍｍで長さが１５２．５ｍｍのものを使用し、８Ｖ、１０．５Ａの条件で点灯した。輝度測定器は、トプコン製ＢＭ−７を備えた、大野技術研究所輝度特性計測システム「ＯＲＤＬ−００２」を使用し、暗室の中で測定を行った。バックライトユニット上の法線からの角度を５度ずつ左右に変化させて０〜±８５度の範囲に亘って、バックライトユニットの長辺側を上下とした状態で輝度を測定した。
【産業上の利用可能性】
【００２６】
本発明のバックライトユニットは、特に、車載用液晶表示装置に使用することができ、運転者席、助手席から輝度の高い状態で車載用液晶表示装置の指示を見ることができる。この液晶表示装置は、カーナビとして使用することができる。また、カーナビとして使用しないときには、テレビやＤＶＤ、インターネットの閲覧用等の映像表示装置としても利用が可能である。自動車の安全運転にも寄与することができる上、エンターテイメント用としても利用可能である。
【図面の簡単な説明】
【００２７】
【図１】バックライトユニットの構成の一例を示す図である
【図２】本発明のバックライトユニットの構成を示す図である
【図３】バックライトユニットの他の構成例を示す図である
【図４】バックライトユニットの輝度を示す図である
【図５】バックライトユニットの輝度を示す図である
【図６】バックライトユニットの輝度を示す図である
【図７】バックライトユニットの輝度を示す図である
【図８】バックライトユニットの輝度を示す図である
【図９】バックライトユニットの輝度を示す図である
【符号の説明】
【００２８】
１            レンズシート
２            導光体
３、４        光源
５            反射シート
６            プリズム
１１、１５      レンズシート
１２            導光体
１３、１４      光源
１６、１６’    プリズム
１７            反射シート
２１            レンズシート
２２            導光体
２３、２４      光源
２５            反射シート
２６            プリズム
Ａ            図２の構成のバックライトユニットでプリズム１６’の頂角が１６５度をなすもの
Ｂ            図２の構成のバックライトユニットで下部のレンズシート１１及び１５を除いたもの
Ｃ            図２の構成のバックライトユニットでプリズム１６’の頂角が１６５度をなすもの
Ｄ            図２の構成のバックライトユニットでプリズム１６’の頂角が６５度をなすもの
Ｅ            図２の構成のバックライトユニットでプリズム１６’の頂角が９０度をなすもの
Ｆ            図１の構成のバックライトユニットでプリズム６の頂角が１６５度をなすもの
Ｇ            図１の構成のバックライトユニットでレンズシート１を除いたもの
Ｈ            図１の構成のバックライトユニットでプリズム６の頂角が１６５度をなすもの
Ｉ            図１の構成のバックライトユニットでプリズム６の頂角が６５度をなすもの
Ｊ            図１の構成のバックライトユニットでレンズシート１を除いたもの
Ｋ            図３の構成のバックライトユニットでプリズム２６の頂角が９０度をなすもの
Ｌ            図３の構成のバックライトユニットでレンズシート２１を除いたもの
Ｍ            図２の構成のバックライトユニットでプリズム１６’の頂角が１２０度をなすもの
Ｎ            図２の構成のバックライトユニットで下部のレンズシート１１及び１５を除いたもの
【図１】
2005044642.tif 000003
【図２】
2005044642.tif 000004
【図３】
2005044642.tif 000005
【図４】
2005044642.tif 000006
【図５】
2005044642.tif 000007
【図６】
2005044642.tif 000008
【図７】
2005044642.tif 000009
【図８】
2005044642.tif 000010
【図９】
2005044642.tif 000011